(57)【特許請求の範囲】
【請求項１】
厚手の紙素材によって正面板、左右側面板および背面板からなる中空体が折畳自在に形成され、背面板の上縁には葬儀を象徴する御霊前、御仏前等の標識部が上方に突出形成され、正面板は左右側面板との折曲頂部を上縁から下方の過半部位まで切断して形成した自由片が、背面板側に折曲係止されて分解自在な線香載置床が後傾状に形成され、左右側面板は上縁の中央部位から自由片の下端部まで斜めに切断して形成した折込片が内側に折曲され、その余端片の上端部を背面板側に係止して分解自在な額縁が後傾状に形成されていることを特徴とする斎場葬における線香盛台の構造。
【請求項２】
正面板、左右側面板および背面板によって囲繞形成された中空体は、正面板の横幅が背面板の横幅より短く設定されて、水平断面視において台形状に形成され、左右側面板によって折曲形成される額縁の外縁が、内縁に対し下端より上端に向けて順次拡開した横幅となるように形成されていることを特徴とする請求項１記載の斎場葬における線香盛台の構造。
【請求項３】
正面板、左右側面板および背面板の表面には、仏事にふさわしい化粧紙が貼着されていると共に、標識部と額縁にはそれぞれ仏縁を深める飾り模様が施されていることを特徴とする請求項１記載の斎場葬における線香盛台の構造。
【発明の詳細な説明】
【０００１】
【発明の属する技術分野】
本発明は斎場葬における線香盛台の構造に係り、詳しくは、紙素材で構成されたものでありながら、斎場葬における祭壇の両脇に設置したときは祭壇と調和して見栄えが良く、荘厳な葬儀の雰囲気を醸し出すことができる線香盛台の構造に関するものである。
【０００２】
【従来の技術】
葬儀は故人に対する追慕供養のために、遺族、親族、知人、友人などが相集い、故人を追慕しながら人生無常のことわりを悟り、仏縁を深める報謝の仏事である。したがって、葬儀は自宅葬が本来の姿であるが、近年では都市部での住宅事情等により、斎場葬が増加する傾向にある。
【０００３】
ところで、線香は清らかな香りによって不浄を浄め、故人の霊を供養するために用いられるものであるから、自宅葬、斎場葬を問わず、供物として祭壇の両脇に飾られるものである。このため、自宅葬では、従来三方台に線香を積層状に載置してなる「線香盛」と称する供物が用いられていた。
【０００４】
ところが、上記のような「線香盛」を斎場葬の場合に供物として祭壇の両脇に設置すると、形態が小型なため祭壇と調和しない上に、見栄えにも欠け、故人の霊を供養するために「線香盛」を捧げた人々の心情を満たすことができないばかりか、故人を偲んで追悼の意を表す会葬者の心情も満たすことができないものとされていた。このため、仏具業界では斎場葬にふさわしい「線香盛」の出現が要望されていた。
【０００５】
【発明が解決しようとする課題】
本発明は上記のような要望に応えるべく創案されたものであって、その意図するところは、収納時にはコンパクトに折り畳まれて運搬、保管が容易にでき、設置時には極めて簡単に組み立てることができる上、これを斎場葬における祭壇の両脇に備えたときは、祭壇と調和して見栄えが良く、荘厳な葬儀の雰囲気を醸し出して故人の霊を供養することができ、葬儀終了後は簡単に分解することができ、環境保全を害することなく処理してリサイクル資源として再利用することができる斎場葬における線香盛台の構造を提供することを課題とするものである。
【０００６】
【課題を解決するための手段】
上記課題を解決するため、本発明が採用した第１の技術手段は、厚手の紙素材によって正面板、左右側面板および背面板からなる中空体が折畳自在に形成され、背面板の上縁には葬儀を象徴する御霊前、御仏前等の標識部が上方に突出形成され、正面板は左右側面板との折曲頂部を上縁から下方の過半部位まで切断して形成した自由片が、背面板側に折曲係止されて分解自在な線香載置床が後傾状に形成され、左右側面板は上縁の中央部位から自由片の下端部まで斜めに切断して形成した折込片が内側に折曲され、その余端片の上端部を背面板側に係止して分解自在な額縁が後傾状に形成されていることを特徴とするものである。
【０００７】
本発明が採用した第２の技術手段は、正面板、左右側面板および背面板によって囲繞形成された中空体は、正面板の横幅が背面板の横幅より短く設定されて、水平断面視において台形状に形成され、左右側面板によって折曲形成される額縁の外縁が、内縁に対し下端より上端に向けて順次拡開した横幅となるように形成されていることを特徴とするものである。
【０００８】
本発明が採用した第３の技術手段は、正面板、左右側面板および背面板の表面には、仏事にふさわしい化粧紙が貼着されていると共に、標識部と額縁にはそれぞれ仏縁を深める飾り模様が施されていることを特徴とするものである。
【０００９】
【発明の実施の形態】
本発明の実施の形態を添付図面に基いて詳細に説明する。図１は本発明の展開図、図２（Ａ）〜（Ｃ）は本発明の組立順序を示す説明図、図３（Ａ）〜（Ｃ）は図２に続く組立順序を示す説明図であって、先ず図１において、本発明に係る線香盛台は、厚手の紙素材を裁断して正面板１、左右側面板２、３および背面板４がそれぞれ折曲線ａ、ｂ、ｃ、ｄを介して区画形成され、かつ正面板１の横幅は背面板４の横幅より短く設定され、左右側面板２、３の横幅はそれぞれ同一幅に設定されている。そして、上記各面板１、２、３、４を折曲線ａ、ｂ、ｃ、ｄに沿って内側に折曲し、折代５を背面板４の右側縁４ａに固着した際、各面板１、２、３、４で囲繞された空間が水平断面視において台形状になるように設定されている。
【００１０】
背面板４の上縁４ｂは、中央部位が上方に向けて半円状に突出形成され、葬儀を象徴する「御霊前」、「御仏前」等の標識部４ｃが形成されている。又、上縁４ｂの直下で左右側部には、それぞれ縦方向の係合溝６、６が形成されており、上縁４ｂの稍々下方の中央部位には横方向の係合溝７、７が上下二段に亘って形成されている。
【００１１】
正面板１は左右側面板２、３との折曲線ａ、ｂとの折曲頂部が上縁１ａから下方の過半部位８に形成された折曲線ｅまで切断されて自由片１´が形成され、この自由片１´の上縁１ａの中央部位には上方に向けて係入耳片１ｂが突出形成されており、この係入耳片１ｂを前記背面板４に形成した横方向の係合溝７、７に係入することによって、自由片１´が線香載置床となるように構成されている。ｆは前記折曲線ｅの直上に形成された折曲線、ｇは係入耳片１ｂの中央部位に形成された折曲線である。
【００１２】
左右側面板２、３は、それぞれ上縁２ａ、３ａの略中央部位から斜め下方に切断されて折込片９、９が形成され、この折込片９、９にはそれぞれ上縁２ｂ、３ｂの側端と正面板１の折曲線ｅとの間に折曲線ｈが斜めに形成され、また上縁２ｂ、３ｂの中間部位と正面板１の折曲線ｅとの間にも折曲線ｉが斜めに形成されている。そして、この折曲線ｈ、ｉとによって額縁１０が区画形成され、更に折込片９、９の余端片１１、１１の上端部には係入耳片１１ａ、１１ａが形成されており、この係入耳片１１ａ、１１ａを前記背面板４に形成した縦方向の係合溝６、６に係入することによって、額縁１０の外縁が内縁に対し下端より上端に向けて順次拡開した横幅となるように形成されている。
【００１３】
正面板１、左右側面板２、３および背面板４の表面には、仏事にふさわしい化粧紙が貼着されていると共に、標識部４ｃと額縁１０には仏縁を深める飾り模様が施されている。
【００１４】
次に叙上のように構成された本発明の組立順序について、図２および図３を参照して説明する。先ず、折曲線ａ、ｂ、ｃに沿って正面板１、左右側面板２、３をそれぞれ背面板４方向に折曲した後、右側面板３を折曲線ｄに沿って折曲して折代５を背面板４の右側縁４ａに固着すると、水平断面視において台形状の中空体が形成される（図２（Ａ）参照）。
【００１５】
次に、左右側面板２、３の折込片９、９を折曲線ｈに沿って内側に折曲し、更に余端片１１、１１を折曲線ｉに沿って内側に折曲した後、係入耳片１１ａ、１１ａを背面板４の縦方向の係合溝６、６に係入すると、左右一対の額縁１０、１０が形成される（図２（Ｂ）参照）。
【００１６】
更に正面板１に形成した自由片１´を折曲線ｅに沿って内側に折曲した後、折曲線ｆに沿って外側に折り返して支承片１２を形成してから、係入耳片１ｂを背面板４の横方向の上段係合溝７に係入し、更に折曲線ｇを介して係入耳片１ｂの先端側を下段係合溝７に係入すると、自由片１´によって線香載置床が後傾状に形成される（図２（Ｃ）参照）。
【００１７】
そこで、パックされた線香Ｓを線香載置床に載置すると、上記線香Ｓの下端部は支承片１２に支承されて後傾状に保持される上、その両脇と上方部位はそれぞれ仏縁を深める飾り模様を施した額縁１０と標記部４ｃによって装飾することができ、したがって、これを斎場葬における祭壇の両脇に設置したときは、祭壇と調和した線香盛として見栄えが良く、荘厳な葬儀の雰囲気を醸し出すことができる（図３（Ａ）（Ｂ）（Ｃ）参照）。
【００１８】
【発明の効果】
以上の説明によって明らかなように、本発明によれば、紙素材によって線香盛を構成したので、収納時にはコンパクトに折り畳まれて運搬、保管が容易にでき、設置時には極めて簡単に組み立てることができ、これを斎場葬における祭壇の両脇に備えたときは、表面が仏事にふさわしい化粧紙で装飾され、かつ線香載置床に載置された線香の両脇に形成された額縁および背面板の上方部位に形成された標識部には、仏縁を深める飾り模様が施されているため、紙素材でありながら、祭壇と調和して見栄えが良く、荘厳な葬儀の雰囲気を醸し出して故人の霊を供養することができ、更に葬儀終了後は簡単に分解することができ、環境保全を害することなく処理してリサイクル資源として活用することが出きる効果を奏する。
【図面の簡単な説明】
【図１】本発明の展開図
【図２】（Ａ）（Ｂ）（Ｃ）は本発明の組立順序を示す説明図
【図３】（Ａ）（Ｂ）（Ｃ）は図２に続く本発明の組立順序を示す説明図
【符号の説明】
１      正面板
１´    自由片
１ａ    上縁
１ｂ    係入耳片
２      左側面板
２ａ    上縁
３      右側面板
３ａ    上縁
４      背面板
４ａ    右側縁
４ｂ    上縁
４ｃ    標記部
５      折代
６      縦方向の係合溝
７      横方向の係合溝
８      過半部位
９      折込片
１０    額縁
１１    余端片
１１ａ  係入耳片
１２    支承片
Ｓ      パックされた線香
ａ〜ｉ  折曲線
【図１】
0004024063.tif 000002
【図２】
0004024063.tif 000003
【図３】
0004024063.tif 000004